(57)【特許請求の範囲】
【請求項１】
テレビ放送を受信する手段と、ラジオ放送を受信する手段とを有するテレビ／ラジオ受信装置において、
テレビ番組とラジオ番組で同一放送内容を放送しているかどうかのリンクデータを格納している外部情報装置に対して通信手段を介してアクセスし、該リンクデータを蓄積する手段と、
前記蓄積手段に蓄積されているリンクデータを利用するかどうかを選択する手段と、
前記選択手段により前記リンクデータを利用することが選択されているとき、該リンクデータに基づいて選局中のテレビ番組と同一放送内容を放送しているラジオ番組を選局し、該テレビ番組の音声を該ラジオ番組の音声に切り替えて出力する制御手段とを有ることを特徴とするテレビ／ラジオ受信機。
【請求項２】
テレビ放送を受信する手段と、ラジオ放送を受信する手段とを有するテレビ／ラジオ受信装置において、
テレビ番組とラジオ番組で同一放送内容を放送しているかどうかのリンクデータを格納している外部情報装置に対して通信手段を介してアクセスし、該リンクデータを蓄積する手段と、
前記蓄積手段に蓄積されているリンクデータを利用するかどうかを選択する手段と、
前記テレビの受信状態を監視し、受信状態が特定レベル以上に悪化したかどうかを判定する手段と、
前記判定手段により受信状態が特定レベル以上に悪化したと判断し、かつ前記選択手段により前記リンクデータを利用することが選択されているとき、該リンクデータに基づいて選局中のテレビ番組と同一放送内容を放送しているラジオ番組を選局し、該テレビ番組の音声を該ラジオ番組の音声に切り替えて出力する制御手段とを有することを特徴とするテレビ／ラジオ受信機。
【請求項３】
テレビ放送を受信する手段と、ラジオ放送を受信する手段とを有するテレビ／ラジオ受信装置において、
文字情報の一つとしてテレビ放送信号に挿入された、テレビ番組とラジオ番組が同一放送内容を放送していることを示すリンクデータを検出し、該リンクデータを蓄積する手段と、
前記蓄積手段に蓄積されているリンクデータを利用するかどうかを選択する手段と、
前記選択手段により前記リンクデータを利用することが選択されているとき、該リンクデータに基づいて選局中のテレビ番組と同一放送内容を放送しているラジオ番組を選局し、該テレビ番組の音声を該ラジオ番組の音声に切り替えて出力する制御手段とを有することを特徴とするテレビ／ラジオ受信機。
【請求項４】
テレビ放送を受信する手段と、ラジオ放送を受信する手段とを有するテレビ／ラジオ受信装置において、
文字情報の一つとしてテレビ放送信号に挿入された、テレビ番組とラジオ番組が同一放送内容を放送していることを示すリンクデータを検出し、該リンクデータを蓄積する手段と、
前記蓄積手段に蓄積されているリンクデータを利用するかどうかを選択する手段と、
前記テレビの受信状態を監視し、受信状態が特定レベル以上に悪化したかどうかを判定する手段と、
前記判定手段により受信状態が特定レベル以上に悪化したと判断し、かつ前記選択手段により前記リンクデータを利用することが選択されているとき、該リンクデータに基づいて選局中のテレビ番組と同一放送内容を放送しているラジオ番組を選局し、該テレビ番組の音声を該ラジオ番組の音声に切り替えて出力する制御手段とを有することを特徴とするテレビ／ラジオ受信機。
【請求項５】
請求項２又は４のいずれかに記載のテレビ／ラジオ受信装置において、
前記テレビ受信状態を判定する手段に従って、受信状態が悪化する前のテレビ画像を記憶しておく手段をさらに有し、
前記制御手段が、テレビの音声の代わりにラジオの音声を出力するとき、前記テレビ受信手段の画像表示部に、前記テレビ画像記憶手段の画像を表示することを特徴とするテレビ／ラジオ受信機。
【発明の詳細な説明】
【０００１】
【発明の属する技術分野】
本願発明は、テレビ放送を受信する手段と、ラジオ放送を受信する手段とを有するテレビ／ラジオ受信装置に係り、特にテレビ番組とラジオ番組で同一放送内容を放送しているとき、テレビ放送受信手段でテレビ放送の画像を見ながら、音声はラジオ放送受信手段により自動的に聞くことができるようにしたテレビ／ラジオ受信装置に関する。
【０００２】
【従来の技術】
従来より、ラジオ受信機とテレビ受信機とを備えた車載用の受信装置が普及している。
【０００３】
一般に、ユーザーは、必要に応じてテレビ受信機でテレビを見たり、あるいはラジオ受信機で音声を聞いり、どちらか一つを楽しんだりする。
【０００４】
しかし、野球中継等、同一放送内容をテレビ受信機とラジオ受信機の双方で放送している場合、テレビ受信機とラジオ受信機の両方をオンし、テレビ受信機で画像を見ながら、ラジオ受信機で音声を聞くこともある。ラジオ受信機の方が解説が豊富で、また面白いことが多いからである。
【０００５】
ところで、ユーザーが、テレビ放送とラジオ放送で同一放送内容を放送していることを知っていても、そのテレビ放送はどのチャネルであり、そのラジオ放送はどの周波数かを知らない場合、思考錯誤的に検索しなければならないので、非常に煩雑となる。
【０００６】
また、車の場所によっては、ラジオ受信機よりもテレビ受信機の方が受信状態が悪くなり、適正な情報が得られないときがある。このとき、テレビ受信機と同一放送内容を放送しているラジオ受信機があれば、そちらの音声の方を聞きたい場合がある。
【０００７】
【発明が解決しようとする課題】
本願発明はかかる従来の問題に鑑みて創作されたものであり、テレビ放送受信手段でテレビ放送の画像を見ながら、該テレビ放送と同一放送内容の音声をラジオ放送受信手段により自動的に聞くことができるようにしたテレビ／ラジオ受信装置の提供を目的とする。
【０００８】
【課題を解決するための手段】
（手段）
上記課題は、第１の発明については、テレビ放送を受信する手段と、ラジオ放送を受信する手段とを有するテレビ／ラジオ受信装置において、テレビ番組とラジオ番組で同一放送内容を放送しているかどうかのリンクデータを格納している外部情報装置に対して通信手段を介してアクセスし、該リンクデータを蓄積する手段と、前記蓄積手段に蓄積されているリンクデータを利用するかどうかを選択する手段と、前記選択手段により前記リンクデータを利用することが選択されているとき、該リンクデータに基づいて選局中のテレビ番組と同一放送内容を放送しているラジオ番組を選局し、該テレビ番組の音声を該ラジオ番組の音声に切り替えて出力する制御手段とを有ることを特徴とする。
【０００９】
第２の発明については、テレビ放送を受信する手段と、ラジオ放送を受信する手段とを有するテレビ／ラジオ受信装置において、テレビ番組とラジオ番組で同一放送内容を放送しているかどうかのリンクデータを格納している外部情報装置に対して通信手段を介してアクセスし、該リンクデータを蓄積する手段と、前記蓄積手段に蓄積されているリンクデータを利用するかどうかを選択する手段と、前記テレビの受信状態を監視し、受信状態が特定レベル以上に悪化したかどうかを判定する手段と、前記判定手段により受信状態が特定レベル以上に悪化したと判断し、かつ前記選択手段により前記リンクデータを利用することが選択されているとき、該リンクデータに基づいて選局中のテレビ番組と同一放送内容を放送しているラジオ番組を選局し、該テレビ番組の音声を該ラジオ番組の音声に切り替えて出力する制御手段とを有することを特徴とする。
【００１０】
第３の発明については、テレビ放送を受信する手段と、ラジオ放送を受信する手段とを有するテレビ／ラジオ受信装置において、文字情報の一つとしてテレビ放送信号に挿入された、テレビ番組とラジオ番組が同一放送内容を放送していることを示すリンクデータを検出し、該リンクデータを蓄積する手段と、前記蓄積手段に蓄積されているリンクデータを利用するかどうかを選択する手段と、前記選択手段により前記リンクデータを利用することが選択されているとき、該リンクデータに基づいて選局中のテレビ番組と同一放送内容を放送しているラジオ番組を選局し、該テレビ番組の音声を該ラジオ番組の音声に切り替えて出力する制御手段とを有することを特徴とする。
【００１１】
第４の発明については、テレビ放送を受信する手段と、ラジオ放送を受信する手段とを有するテレビ／ラジオ受信装置において、文字情報の一つとしてテレビ放送信号に挿入された、テレビ番組とラジオ番組が同一放送内容を放送していることを示すリンクデータを検出し、該リンクデータを蓄積する手段と、前記蓄積手段に蓄積されているリンクデータを利用するかどうかを選択する手段と、前記テレビの受信状態を監視し、受信状態が特定レベル以上に悪化したかどうかを判定する手段と、前記判定手段により受信状態が特定レベル以上に悪化したと判断し、かつ前記選択手段により前記リンクデータを利用することが選択されているとき、該リンクデータに基づいて選局中のテレビ番組と同一放送内容を放送しているラジオ番組を選局し、該テレビ番組の音声を該ラジオ番組の音声に切り替えて出力する制御手段とを有することを特徴とする。
【００１２】
第５の発明については、前記第２の又は第４の発明のいずれかに記載のテレビ／ラジオ受信装置において、前記テレビ受信状態を判定する手段に従って、受信状態が悪化する前のテレビ画像を記憶しておく手段をさらに有し、前記制御手段が、テレビの音声の代わりにラジオの音声を出力するとき、前記テレビ受信手段の画像表示部に、前記テレビ画像記憶手段の画像を表示することを特徴とする。
【００１３】
第１の本発明によれば、情報蓄積手段により、テレビ番組とラジオ番組で同一放送内容を放送しているかどうかの情報を格納している外部情報装置に対して通信手段を介してアクセスし、該情報を蓄積しているので、選択手段により前記情報蓄積手段の情報を利用することを選択すると、テレビ受信手段からは、選局したテレビ番組の画像を見ることができるとともに、ラジオ受信手段からは該テレビ番組と同一放送内容のラジオ音声を自動的に聞くことが可能となる。
【００１４】
第２の本発明によれば、第１の本発明の構成の他に、テレビの受信状態を監視し、受信状態が特定レベル以上に悪化したかどうかを判定する手段を備えているので、受信状態が特定レベル以上に悪化したとき、自動的にラジオ受信手段から該テレビ番組と同一放送内容のラジオ音声を聞くことが可能となる。
【００１５】
第３の本発明によれば、情報蓄積手段により、テレビ情報の一つとして挿入された、テレビ番組とラジオ番組が同一放送内容を放送していることを示すリンクデータを検出し、該リンクデータを蓄積しているので、選択手段により前記情報蓄積手段の情報を利用することを選択すると、テレビ受信手段からは、選局したテレビ番組の画像を見ることができるとともに、ラジオ受信手段からは該テレビ番組と同一放送内容のラジオ音声を自動的に聞くことが可能となる。
【００１６】
第４の本発明によれば、第３の本発明の構成の他に、テレビの受信状態を監視し、受信状態が特定レベル以上に悪化したかどうかを判定する手段を備えているので、受信状態が特定レベル以上に悪化したとき、自動的にラジオ受信手段から該テレビ番組と同一放送内容のラジオ音声を聞くことが可能となる。
【００１７】
第５の本発明のついては、前記第２または第４の発明のいずれかに記載のテレビ／ラジオ受信装置において、受信状態が悪化する前のテレビ画像を記憶しておく画像記憶手段を備えているので、前記テレビ受信状態が特定レベル以上に悪化すると判断されたとき、前記音声出力手段が、テレビの音声の代わりにラジオの音声を出力するとともに、前記テレビ受信手段の画像表示部には、前記テレビ画像記憶手段の記憶画像を表示することが可能となる。
【００１８】
【発明の実施の形態】
（Ａ）第１の実施の形態
図１は本願発明の第１の実施の形態に係るテレビ／ラジオ受信装置の構成を示す図である。
【００１９】
以下、図面を参照しながら、本願発明の実施の形態について説明する。
【００２０】
１はテレビ受信手段であり、８はラジオ受信手段である。テレビ受信手段１において、２はテレビ放送を受信するアンテナ、３はアンテナ２から入力するテレビ放送を高周波増幅、同調、周波数変換等を行うテレビ受信用のフロントエンド回路、４はフロントエンド回路３の出力を入力して画像信号に復調する画像検波回路、５は画像信号処理回路、６は画像を表示する画像表示部である。
【００２１】
また、７はフロントエンド回路３の出力を入力して音声信号ａに復調する音声検波回路である。
【００２２】
ラジオ受信手段８において、９はＦＭ放送を受信するアンテナ、１０はアンテナ９から入力するＦＭ放送を高周波増幅、同調、周波数変換等を行うＦＭ放送受信用のフロントエンド回路、１１はフロントエンド回路１０の出力を入力してＦＭ信号に復調するＦＭ検波回路、１２はノイズカット／マルチプレクサで、ＦＭ検波回路１１のＦＭ検波信号のノイズカットとステレオ復調とを行い、ＦＭ音声信号ｂを出力する。１３はＡＭ放送を受信するアンテナ、１４はアンテナ１３から入力するＡＭ放送を同調、検波してＡＭ音声信号ｃを出力するＡＭ信号処理回路である。
【００２３】
１５は音量を調節するボリューム、１６は音声信号を増幅する増幅器、１７はスピーカである。１８はコントローラ２２の音声切り換え信号Ｓに従って、ＴＶ音声信号ａ、ＦＭ音声信号ｂ、ＡＭ音声信号ｃのいずれかを選択してボリューム１５に接続する音声信号切り換え回路である。
【００２４】
２０はテレビ番組とラジオ番組で同一放送内容を放送しているかどうかのリンクデータを格納している外部情報装置、２１は電話回線を介して外部情報装置２０にアクセスする電話、２２はコントローラ１９のリンクデータ取得指令デジタル信号をアナログ信号に変換して電話２１に伝送したり、外部情報装置２０から電話２１に返送されたリンクデータをデジタル信号に変換してコントローラ１９に伝送するモデムである。２４は、外部情報装置２０のリンクデータを取得するかどうかを、選択する選択手段であり、ユーザーがセットすることができる。
【００２５】
図２は本願発明の第１の実施の形態の装置の動作を説明するフローチャートである。まず、選択手段２３により、ＴＶ／ラジオのリンクモードを選択し（Ｐ１１）、かつＴＶをオンする（Ｐ１２）。この順序はどちらでもよい。
【００２６】
これにより、アンテナ２からテレビ放送を受信し、フロントエンド回路３により、高周波増幅、同調、周波数変換等を行い、画像検波回路４に画像信号を復調し、画像処理回路５を介してテレビ画像表示部６にテレビ画像が映しだされる。
【００２７】
次に、コントローラ１９は、コントローラ内の記憶装置に対して、現在、受信中のテレビ放送と同一の放送内容を放送しているかどうかを示すＴＶ／ラジオリンクデータがロードされているかどうかを確認する（Ｐ１３）。
【００２８】
いま、ユーザによりリンクモードが選択されているので、リンクデータがない場合には、コントローラ１９はモデム２２を介して電話２１をかけ、リンクデータ取得指令信号を出力して外部情報装置２０にアクセスする。これに従って、外部情報装置２０がＴＶ／ラジオリンクデータを電話２１およびモデム２２を介して返送すると、コントローラ１９はこれをコントローラ１９内の記憶装置に格納する（Ｐ１４，Ｐ１５）。
【００２９】
次に、コントローラ１９は、記憶装置に対して、ＴＶ／ラジオリンクデータがあるかどうかを確認する（Ｐ１６）。例えば、ＡＭ放送の特定周波数においてテレビ放送と同一の放送がなされている場合には、コントローラ１９はＡＭラジオのスイッチをオンするとともに、音声切り換え信号Ｓにより音声信号切り換え回路１８のスイッチを切り換えて、ＡＭ信号処理回路１４のＡＭ音声信号ｃを選択し、ボリューム１５，増幅器１６およびスピーカ１７を介してＡＭ音声を出力する（Ｐ１７、Ｐ１８）。
【００３０】
このようにして、第１の実施の形態によれば、例えば、野球放送の映像をテレビ放送で、音声をＡＭ放送で楽しみたいとき、ユーザの煩雑な操作を必要としないで、自動的に行うことができる。
【００３１】
なお、リンクデータが既にロードされている場合には（Ｐ１３で、ＹＥＳのとき）、コントローラ１９は外部情報装置２０にアクセスする必要はなく、記憶装置内のリンクデータに従って、直ちに、所定のラジオ放送の音声を出力する（Ｐ１７，Ｐ１８）。
【００３２】
Ｐ１６において、テレビ放送と同一の放送内容を放送するラジオ放送のリンクデータが無い場合には（Ｐ１６で、ＮＯのとき）、コントローラ１９は音声切り換え信号Ｓにより、ＴＶ音声信号ａを選択してテレビ放送の音声を出力する。
【００３３】
（Ｂ）第２の実施の形態
図３は本願発明の第２の実施の形態に係るテレビ／ラジオ受信装置の構成を示す図である。説明を簡略にするために、図１の第１の実施の形態のテレビ／ラジオ受信装置の構成と重複する部分については、説明を省略する。
【００３４】
図３において、２４はＴＶフロントエンド回路３の出力を入力してＴＶ放送の受信状態を示す信号をコントローラ１９に出力するＴＶ信号状態検出回路、２５はＡＭ信号処理回路１４およびＦＭ検波回路の信号出力状態を検出するラジオ信号状態検出回路である。
【００３５】
図４は、図３の本願発明の第２の実施の形態に係るテレビ／ラジオ受信装置の動作説明するフローチャートである。なお、図４のＰ２１〜２６までは、図２のＰ１１〜１６までと同一であるので、説明を省略する。
【００３６】
第２の実施の形態においては、ＴＶ放送の受信状態の良否を判定し、ＴＶ放送の受信状態が良くない場合には、ラジオ放送の音声を選択して出力するようにしている。
【００３７】
すなわち、図３のコントローラ１９は、リンクデータに従って、テレビ放送と同一の内容を放送しているＡＭラジオ放送に同調させた後（Ｐ２７）、ＴＶ信号状態検出回路２４の出力信号から当該ＴＶ放送の受信状態の良否を判定する（Ｐ２８）。
【００３８】
ＴＶ受信状態が良好でない場合には、コントローラ１９は音声切り換え信号ＳによりＡＭラジオ音声信号ｃを選択してＡＭ放送の音声を出力する（Ｐ２９）。
【００３９】
以上、説明したように、第２の実施の形態においては、ＴＶの受信状態が良好でないときには、受信状態の良好なラジオ放送の音声を自動的に選択して出力するので、ユーザの煩雑な操作を必要とすることなく、テレビ放送で映像を見ながら、同時に受信状態の良好なラジオの音声を楽しむことができる。
【００４０】
なお、ラジオ信号状態検出回路２５により、ラジオ放送の受信状態の良否を判定し、ＴＶの受信状態と比較し、受信状態の良い方の音声を選択することも可能である。
【００４１】
（Ｃ）第３の実施の形態
図５は本願発明の第３の実施の形態形態に係るテレビ／ラジオ受信装置の構成を示す図である。
【００４２】
図５において、２６はテレビ放送信号に多重化されて送られてきた文字情報を解読するデコーダである。テレビ番組とラジオ番組で同一放送内容を放送していることを示すリンクデータも他の文字情報と同様、テレビ放送信号に多重化されて送られてくると、デコーダ２５で解読された後、コントローラ１９に送られる本実施の形態では、リンクデータは文字情報の一つとしてテレビ放送信号に多重化されて送信されていることを前提としており、このテレビ放送信号内のリンクデータを解読することにより、テレビ放送の音声信号の代わりにラジオ放送の音声信号を出力するようにしたものである。
【００４３】
図１の第１の実施の形態のテレビ／ラジオ受信装置の構成と重複する部分については、説明を簡略化するために省略する。
【００４４】
図６は、図５の第３の実施の形態に係るテレビ／ラジオ受信装置の動作を説明するフローチャートである。
【００４５】
第３の実施の形態においては、リンクデータはテレビ放送の文字情報の一つとして挿入されており、デコーダ２５はこのリンクデータがあるかどうか、またどのラジオ放送と同一の内容の番組を放送しているかどうかのデータを解読する（Ｐ３１〜Ｐ３３）。
【００４６】
例えば、ある局のＦＭ放送がテレビ放送と同一の放送がなされている場合には、コントローラ１９はＦＭラジオのスイッチをオンするとともに、音声切り換え信号Ｓにより音声信号切り換え回路１８のスイッチを切り換えて、ノイズカット／マルチプレクサ１２のＦＭ音声信号ｂを選択し、ボリューム１５，増幅器１６およびスピーカ１７を介してＦＭ音声を出力する（Ｐ３４〜Ｐ３６）。
【００４７】
このようにして、第３の実施の形態によれば、リンクデータはテレビ放送信号に多重化されて送られてくるので、第１の実施の形態のように、外部情報装置２０にアクセスする必要はなくなり、ユーザーの負担はより軽くなる。
【００４８】
（Ｄ）第４の実施の形態
図７は本願発明の第４の実施の形態形態に係るテレビ／ラジオ受信装置の構成を示す図である。
【００４９】
この第４の実施の形態は、第１の実施の形態の構成、第２の実施の形態の構成および第３の実施の形態の構成を組み合わせた構成となっている。
【００５０】
次に第４の実施の形態の動作について、図８のフローチャートに従って説明する。
【００５１】
テレビ放送信号を受信すると、文字情報デコーダ２６はＴＶ放送信号中の文字情報を解読し、リンクデータが確認されれば、これを記憶装置に格納する（Ｐ４１〜Ｐ４３）。
【００５２】
ＴＶ放送信号中にリンクデータが多重化されていないとき、コントローラ１９は外部情報装置２０にモデム２２、電話２１を介してアクセスして外部情報装置２０内のリンクデータを取得し、記憶装置に格納する（Ｐ４４〜Ｐ４５）。
【００５３】
こうして、リンクデータが取得されると、コントローラ１９はリンクデータの内容に従って、テレビ放送と同一内容を放送しているラジオ局に同調させる（Ｐ４７）。そして、テレビ受信状態の良否をＴＶ信号状態検出回路２４で判断し、テレビ受信状態が良好でないとき、ラジオの音声に切り換える（Ｐ４９）。
【００５４】
このようにして、第４の実施の形態においては、外部情報装置２０から通信手段を介して、あるいはＴＶ放送信号のいずれかにおいてリンクデータを取得するようにしているので、より確実に音声情報を得ることが可能となる。
【００５５】
（Ｅ）第５の実施の形態
図９は本願発明の第５の実施の形態に係るテレビ／ラジオ受信装置の構成を示す図である。
【００５６】
この第５の実施の形態は、第４の実施の形態の構成に、ビデオＲＡＭ２７が付加された構成となっている。
【００５７】
なお、第４の実施の形態と共通する構成および動作については、説明の煩雑さを避けるため省略する。
【００５８】
次に、図１０のフローチャートを参照しながら、ビデオＲＡＭ２７が付加された第５の実施の形態の画像処理の動作について説明する。
【００５９】
まず、選択手段２３によりＴＶ／ラジオリンクモードの選択がなされているとする。ＴＶ放送を受信すると、画像検波回路４はＴＶ放送信号から画像信号を取り出して画像処理回路５に送る。画像処理回路５は、画像処理によって作成した画像データを画像表示装置６に送るが、同時にビデオＲＡＭ２７にも送信する。
【００６０】
ビデオＲＡＭ２７では、送られた画像データを、例えば２秒間隔でこれを記憶する（Ｐ５１〜Ｐ５３）。一方、コントローラ１９は、ＴＶ信号状態検出回路２４により、テレビ受信状態の良否を常に判断し、テレビ受信状態が良好でないとき、ラジオの音声に切り換えるとともに、ビデオＲＡＭ２７に記憶しておいた画像データを呼出して、画像表示装置６に静止画像を出力する（Ｐ５４〜Ｐ５６）。
【００６１】
これにより、テレビ受信状態が悪化した場合、画像が悪くなる前の画像が良好な静止画像を見ることができるとともに、ラジオ音声を聴くことができる。
【００６２】
以上、第１〜第５の実施の形態について説明したが、これら実施の形態の構成を適宜組み合わせたり、発明思想の範囲内で適宜、変更が可能であることは、勿論である。
【００６３】
【発明の効果】
以上、説明したように、第１の本発明によれば、情報蓄積手段により、テレビ番組とラジオ番組で同一放送内容を放送しているかどうかの情報を格納している外部情報装置に対して通信手段を介してアクセスし、該情報を蓄積しているので、選択手段により前記情報蓄積手段の情報を利用することを選択すると、テレビ受信手段からは、選局したテレビ番組の画像を見ることができるとともに、ラジオ受信手段からは該テレビ番組と同一放送内容のラジオ音声を自動的に聞くことが可能となる。
【００６４】
第２の本発明によれば、第１の本発明の構成の他に、テレビの受信状態を監視し、受信状態が特定レベル以上に悪化したかどうかを判定する手段を備えているので、受信状態が特定レベル以上に悪化したとき、自動的にラジオ受信手段から該テレビ番組と同一放送内容のラジオ音声を聞くことが可能となる。
【００６５】
第３の本発明によれば、情報蓄積手段により、テレビ情報の一つとして挿入された、テレビ番組とラジオ番組が同一放送内容を放送していることを示すリンクデータを検出し、該リンクデータを蓄積しているので、選択手段により前記情報蓄積手段の情報を利用することを選択すると、テレビ受信手段からは、選局したテレビ番組の画像を見ることができるとともに、ラジオ受信手段からは該テレビ番組と同一放送内容のラジオ音声を自動的に聞くことが可能となる。
【００６６】
第４の本発明によれば、第３の本発明の構成の他に、テレビの受信状態を監視し、受信状態が特定レベル以上に悪化したかどうかを判定する手段を備えているので、受信状態が特定レベル以上に悪化したとき、自動的にラジオ受信手段から該テレビ番組と同一放送内容のラジオ音声を聞くことが可能となる。
【００６７】
第５の本発明のついては、前記第２または第４の発明のいずれかに記載のテレビ／ラジオ受信装置において、受信状態が悪化する前のテレビ画像を記憶しておく画像記憶手段を備えているので、前記テレビ受信状態が特定レベル以上に悪化すると判断されたとき、前記音声出力手段が、テレビの音声の代わりにラジオの音声を出力するとともに、前記テレビ受信手段の画像表示部には、前記テレビ画像記憶手段の記憶画像を表示することが可能となる。
【図面の簡単な説明】
【図１】本願発明の第１の実施の態様に係るテレビ／ラジオ受信装置の構成を示す図である。
【図２】図１の本願発明の第１の実施の態様に係るテレビ／ラジオ受信装置の動作を説明するフローチャートである。
【図３】本願発明の第２の実施の態様に係るテレビ／ラジオ受信装置の構成を示す図である。
【図４】図３の本願発明の第２の実施の態様に係るテレビ／ラジオ受信装置の動作を説明するフローチャートである。
【図５】本願発明の第３の実施の態様に係るテレビ／ラジオ受信装置の構成を示す図である。
【図６】図５の本願発明の第３の実施の態様に係るテレビ／ラジオ受信装置の動作を説明するフローチャートである。
【図７】本願発明の第４の実施の態様に係るテレビ／ラジオ受信装置の構成を示す図である。
【図８】図７の本願発明の第４の実施の態様に係るテレビ／ラジオ受信装置の動作を説明するフローチャートである。
【図９】本願発明の第５の実施の態様に係るテレビ／ラジオ受信装置の構成を示す図である。
【図１０】図９の本願発明の第５の実施の態様に係るテレビ／ラジオ受信装置の動作を説明するフローチャートである。
【符号の説明】
１  テレビ受信手段、
２  テレビアンテナ、
３  ＴＶフロントエンド回路、
４  画像検波回路、
５  画像処理回路、
６  画像表示装置、
７  音声検波回路、
８  ラジオ受信手段、
９  ＦＭラジオアンテナ、
１０  ＦＭフロントエンド回路、
１１  ＦＭ検波回路、
１２  ノイズカット／マルチプレクサ、
１３  ＡＭラジオアンテナ、
１４  ＡＭ信号処理回路、
１５  ボリューム、
１６  増幅器、
１７  スピーカ、
１８  音声信号切り換え回路、
１９  コントローラ、
２０  外部情報装置、
２１  電話、
２２  モデム、
２３  選択手段、
２４  ＴＶ信号状態検出回路、
２５  ラジオ信号状態検出回路、
２６  デコーダ、
２７  ビデオＲＡＭ。
【図１】
0003751449.tif 000002
【図２】
0003751449.tif 000003
【図３】
0003751449.tif 000004
【図４】
0003751449.tif 000005
【図５】
0003751449.tif 000006
【図６】
0003751449.tif 000007
【図７】
0003751449.tif 000008
【図８】
0003751449.tif 000009
【図９】
0003751449.tif 000010
【図１０】
0003751449.tif 000011